【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
可変ミラーと移動する光学素子群を有し、前記移動する光学素子群が変倍機能を有し、前記可変ミラーがピント合わせ機能を有することを特徴とするズーム光学系。
【請求項２】
前記移動する光学素子群が負パワーを有することを特徴とする請求項１に記載のズーム光学系。
【請求項３】
前記可変ミラーがコンペセータ機能を有することを特徴とする請求項１又は請求項２に記載のズーム光学系。
【請求項４】
前記可変ミラーの前方に配置された第１光学素子群と、
前記可変ミラーの後方に置かれた変倍光学素子群とを有し、
該変倍光学素子群が前記移動する光学素子群であることを特徴とする請求項１乃至請求項３のいずれか１項に記載のズーム光学系。
【請求項５】
前記変倍光学素子群の後方に、光学素子群を有することを特徴とする請求項４に記載のズーム光学系。
【請求項６】
前記可変ミラーの変形とともに、前記可変ミラー全体をある方向に平行移動することを特徴とする請求項１乃至請求項５のいずれか１項に記載のズーム光学系。
【請求項７】
前記可変ミラー全体の最大の平行移動量をｘ、前記ズーム光学系の焦点距離をｆとしたときに、
０ ＜ ｜ｘ｜／ｆ ＜ １
を満たすことを特徴とする請求項１乃至請求項６のいずれか１項に記載のズーム光学系。
【請求項８】
可変ミラーと、移動する第１の光学素子群と、移動する第２の移動光学素子群と、前記第１移動光学素子群と第２の移動光学素子群の間に配置された光学素子群を有し、
前記第１及び第２の移動光学素子群は、変倍のために常に同じ移動量で動き、
前記第１及び第２の移動光学素子群は、同じ符号のパワーを持ち、
前記光学素子群のパワーは、前記前記第１及び第２の移動光学素子群のパワーと逆符号であることを特徴とするズーム光学系。
【請求項９】
前記第１及び第２の移動光学素子群のパワーが正であることを特徴とする請求項８に記載のズーム光学系。
【請求項１０】
前記第１及び第２の移動光学素子群のパワーが負であることを特徴とする請求項８に記載のズーム光学系。
【請求項１１】
前記可変ミラーの前方に負のパワーを有する群を有することを特徴とする請求項８乃至請求項１０のいずれか１項に記載のズーム光学系。
【請求項１２】
前記移動する光学素子群の前方に、前記可変ミラーを配置したことを特徴とする請求項１乃至請求項１２のいずれか１項に記載のズーム光学系。
【請求項１３】
前記移動する光学素子群がバリエータであり、
広角端における前記バリエータ倍率をβｖｗ、望遠端における前記バリエータ倍率をβｖＴとしたとき、下記の式３０５満たすことを特徴とする請求項１乃至請求項１２のいずれか１項に記載のズーム光学系。
βｖｗ・βｖＴ＜５ ・・・式３０５
【請求項１４】
前記移動する光学素子群がバリエータであり、
前記バリエータの焦点距離をｆｖ、前記ズーム光学系全体の焦点距離をｆとしたとき、下記の式３１１を満たすことを特徴とする請求項１乃至請求項１２のいずれか１項に記載のズーム光学系。
−３＜ｆｖ／ｆ＜１５ ・・・式３１１
【請求項１５】
前記可変ミラーの前方に配置された光学素子群が第１群であり、
該第１群の焦点距離をｆ１、前記ズーム光学系全体の焦点距離をｆとしたとき、下記の式３１６を満たすことを特徴とする請求項１乃至請求項１２のいずれか１項に記載のズーム光学系。
ｆ１／ｆ＜０ ・・・式３１６
【請求項１６】
前記移動する光学素子群が、正のパワーを有するバリエータであり、
該バリエータよりも前記可変ミラー側に第２群を有し、
前記バリエータの焦点距離をｆｖ、前記可変ミラーから前記バリエータまでの空気換算長をＤｋｖ、前記バリエータと前記第２群を合わせた光学系の前側焦点位置をＨｖとしたとき、下記の式３２７を満たすことを特徴とする請求項１乃至請求項１２のいずれか１項に記載のズーム光学系。
０≦｜（Ｄｋｖ＋Ｈｖ）／ｆｖ｜＜３ ・・・式３２７
【請求項１７】
前記移動する光学素子群が、負のパワーを有するバリエータであり、
前記バリエータの焦点距離をｆｖ、前記可変ミラーから前記バリエータまでの空気換算長をＤｋｖとしたとき、下記の式３２９を満たすことを特徴とする請求項１乃至請求項１２のいずれか１項に記載のズーム光学系。
（Ｄｋｖ＋Ｈｖ）／ｆｖ｜＜５００ ・・・式３２９
【請求項１８】
前記可変ミラーの前方に配置された光学素子群が第１群であり、
前記移動する光学素子群が、正のパワーを有するバリエータであり、
前記バリエータの焦点距離をｆｖ、第１群の最終面から前記可変ミラーまでの距離をＤｏｋ、前記第１群の最終面から測った第１群の後側焦点位置をＦｂｏとしたとき、下記の式３３０を満たすことを特徴とする請求項１乃至請求項１２のいずれか１項に記載のズーム光学系。
０＜（Ｄｏｋ−Ｆｂｏ）／ｆｖ＜５ ・・・式３３０
【請求項１９】
前記可変ミラーの前方に配置された光学素子群が第１群であり、
前記移動する光学素子群が、負のパワーを有するバリエータであり、
前記バリエータの焦点距離をｆｖ、第１群の最終面から前記可変ミラーまでの距離をＤｏｋ、前記第１群の最終面から測った第１群の後側焦点位置をＦｂｏとしたとき、下記の式３３２を満たすことを特徴とする請求項１乃至請求項１２のいずれか１項に記載のズーム光学系。
−６０＜（Ｄｏｋ−Ｆｂｏ）／ｆｖ＜−３ ・・・式３３２
【請求項２０】
前記移動する光学素子群を２つ備え、
前記移動する光学素子群のうち、前方にある移動する光学素子群の焦点距離の焦点距離をｆ２、前記ズーム光学系全体の焦点距離をｆとしたとき、下記の式３４０を満たすことを特徴とする請求項１乃至請求項１２のいずれか１項に記載のズーム光学系。
０．３＜ ｜ｆ２／ｆ｜ ＜１０ ・・・式３４０
【請求項２１】
前記移動する光学素子群を２つ有すると共に、該２つの移動する光学素子群の間に配置された光学素子群を備え、
前記光学素子群の焦点距離の焦点距離をｆ３、前記ズーム光学系全体の焦点距離をｆとしたとき、下記の式３４２を満たすことを特徴とする請求項１乃至請求項１２のいずれか１項に記載のズーム光学系。
０．１５＜ ｜ｆ３／ｆ｜ ＜６ ・・・式３４２
【請求項２２】
前記移動する光学素子群を２つ備え、
前記移動する光学素子群のうち、後方にある移動する光学素子群の焦点距離の焦点距離をｆ４、前記ズーム光学系全体の焦点距離をｆとしたとき、下記の式３４４を満たすことを特徴とする請求項１乃至請求項１２のいずれか１項に記載のズーム光学系。
０．１５＜ ｜ｆ４／ｆ｜ ＜７ ・・・式３４４
【請求項２３】
明るさ絞りが可変ミラーの後方にあることを特徴とする請求項１乃至請求項２２のいずれか１項に記載のズーム光学系。
【請求項２４】
前記可変ミラーは静電気により駆動され、
撮影する物体距離の範囲内で、前記可変ミラーの形状が凹面であることを特徴とする請求項１乃至請求項２３のいずれか１項に記載のズーム光学系。
【請求項２５】
請求項１乃至請求項２４のいずれか１項に記載のズーム光学系を用いた撮像装置。
【手続補正２】
【補正対象書類名】明細書
【補正対象項目名】００２５
【補正方法】変更
【補正の内容】
【００２５】
本発明においては、(a)式中のxの奇数次の項を全て０とすることで、ｙ−ｚ面と平行な対称面を持つ自由曲面としている。また、偏心面については、光学系の基準面の中心からその面の面頂位置の偏心量（Ｘ軸方向、Ｙ軸方向、Ｚ軸方向をそれぞれＸ，Ｙ，Ｚ）と、その面の中心軸（自由曲面については、上記(a)式のＺ軸を中心とする）傾き角（それぞれα，β，γ（°））とが与えられている。
【手続補正３】
【補正対象書類名】明細書
【補正対象項目名】００８９
【補正方法】変更
【補正の内容】
【００８９】
本実施例は、凸群２２３が1枚構成であり、実施例５の凸群２１３よりも、レンズ枚数が少ない。したがって、より低コストにすることができる。図６の光線図は、代表的なものとして物体距離∞かつズーム状態が広角及び標準及び望遠のときのものである。また図６に示した座標系は、各状態共通である。ただし、可変ミラー２２２より物体側、可変ミラー２２２、可変ミラー２２２より像面側では、それぞれ異なる座標系を用いているため注意を要する。
（実施例７）
物体距離                ズーム  Fno.    焦点距離                対角画角        
状態１  ∞              広角    3.416   4.613           57.7°
状態２  ∞              標準    3.859   5.452           48.8°
状態３  ∞              望遠    4.415   6.703           39.8°
状態４  300mm           広角    3.393   4.613
状態５  300mm           標準    3.839   5.452
状態６  300mm           望遠    4.394   6.703
撮像面サイズ 4mm×3mm
面番号  曲率半径                面間隔          偏心    屈折率          アッベ数
物体面  ∞              物体距離）
1       -28.7616                1.6339                  1.72916         54.68
2       ASP[1]          5.017
3       54.6152         2.9255                  1.497           81.54
4       -49.9256                4.5
5       FFS[1] （DM）   D1＝-12.1381〜-10.03316〜-7.33504
偏心[1]
6       絞り面          -0.1297
7       ASP[2]          -5.2993                 1.58313         59.38
8       22.9382         -1.1742
9       -6.7237         -2.2996                 1.456           90.33
10      9.6725          -0.8548
11      9.7133          -1.0241                 1.72151         29.23
12      -3.9774                 D2＝-1.10099〜-3.20589〜-5.90401
13      -11.478         -2.244                  1.603           65.44
14      ASP[3]          -1.4865
15      ∞              -1.44                   1.54771         62.84
16      ∞              -0.8
17      ∞              -0.6                    1.51633                 64.14
18      ∞              -0.5
像 面   ∞
ASP[1]
曲率半径 10.0576、ｋ 0.0000
a  -4.0835×10-4、b  4.3979×10-6、c  -1.5633×10-7、d  1.9974×10-9
ASP[2]
曲率半径 -9.1682、ｋ 0.0000
a   3.4194×10-4、b  2.4869×10-9、c  9.8662×10-7、d  -5.8064×10-8
ASP[3]
曲率半径 7.7704、ｋ 0.0000
a  -1.5911×10-3、b  8.6440×10-5、c  -7.3116×10-6、d  2.9293×10-7
FFS[1]
状態１  状態２  状態３  状態４  状態５  状態６
C4  -3.2829×10-4  0.0000  -2.6321×10-6  -6.0794×10-4  -2.5035×10-4
-2.8099×10-4
C6  -1.6462×10-4  0.0000  -5.8132×10-6  -3.0603×10-4  -1.2764×10-4
-1.4301×10-4
C8  -8.0161×10-6  0.0000   1.3356×10-6  -5.9070×10-6   2.6211×10-6
3.7096×10-6
C10  -3.1928×10-6  0.0000   1.6332×10-7  -2.6085×10-6   2.7854×10-7
-8.1693×10-7
C11   1.1826×10-5  0.0000  -4.6352×10-6    1.1156×10-5  -1.8158×10-6
-6.0249×10-6
C13   1.1056×10-5  0.0000  -4.1022×10-6    1.0686×10-5  -1.3540×10-6
-5.7482×10-6
C15   2.8228×10-6  0.0000  -1.0533×10-6    2.5287×10-6  -5.8769×10-7
-1.5497×10-6
偏心[1]
X 0     Y 0     Z 0
α ？45 β 0    γ 0
実施例７は、図７に示すような、デジタルカメラ、テレビカメラ等に用いられる１．４倍ズーム撮像光学系である。